(57)【特許請求の範囲】
【請求項１】
（Ａ）成分：炭素数２以上３以下のポリオール、
（Ｂ）成分：下記式（Ｉ）で表される、ポリオキシアルキレンアルキルエーテル硫酸エステル、ポリオキシアルキレンアルケニルエーテル硫酸エステル又はこれらの塩、
【化１】
0006657541.tif 000012
（式中、Ｒ１は、炭素数１２以上２４以下のアルキル基又はアルケニル基を示し、Ｒ２はエチレン基又はプロピレン基を示し、ｍはＲ２Ｏの付加モル数を示し、１以上１５以下の整数である。Ｍ１は、水素原子又は陽イオンを示す。）
（Ｃ）成分：下記式（ＩＩ）で表されるアルキル硫酸エステル、アルケニル硫酸エステル又はこれらの塩、及び
【化２】
0006657541.tif 000013
（式中、Ｒ３は、炭素数１２以上２４以下のアルキル基又はアルケニル基を示し、Ｍ２は、水素原子又は陽イオンを示す。）
（Ｄ）成分：水
を含有し、
（Ａ）成分の含有量が２５質量％以上９８質量％以下であり、
（Ｂ）成分及び（Ｃ）成分の合計含有量が硫酸エステル換算量で０．０５質量％以上１０質量％以下であり、
（Ａ）成分及び（Ｄ）成分の合計含有量が８５質量％以上９９．６質量％以下である、
界面活性剤組成物。
【請求項２】
（Ｄ）成分の含有量が２質量％以上７２質量％以下である、請求項１に記載の界面活性剤組成物。
【請求項３】
Ｒ２がエチレン基である、請求項１又は２に記載の界面活性剤組成物。
【請求項４】
（Ｂ）成分及び（Ｃ）成分の合計質量に対する（Ａ）成分の質量比〔（Ａ）／（（Ｂ）＋（Ｃ）〕〕が、２．５以上１，９００以下である、請求項１〜３のいずれかに記載の界面活性剤組成物。
【請求項５】
（Ｂ）成分に対する（Ｃ）成分の質量比〔（Ｃ）／（Ｂ）〕が、０．０１以上５０以下である、請求項１〜４のいずれかに記載の界面活性剤組成物。
【請求項６】
（Ｄ）成分に対する（Ａ）成分の質量比〔（Ａ）／（Ｄ）〕が、０．３以上４５以下である、請求項１〜５のいずれかに記載の界面活性剤組成物。
【請求項７】
さらに、（Ｅ）成分として、（Ｂ）成分及び（Ｃ）成分以外のアルカリ金属塩並びにアルカリ金属水酸化物から選ばれる１種以上を含有する、請求項１〜６のいずれかに記載の界面活性剤組成物。
【請求項８】
２５℃における粘度が３．９ｍＰａ・ｓ以上３００ｍＰａ・ｓ以下である、請求項１〜７のいずれかに記載の界面活性剤組成物。
【請求項９】
（Ａ）成分、（Ｂ）成分、（Ｃ）成分、及び（Ｄ）成分を配合してなる、請求項１〜８のいずれかに記載の界面活性剤組成物。
【請求項１０】
（Ａ）成分、（Ｂ）成分、（Ｃ）成分、及び（Ｄ）成分を配合する、請求項１〜９のいずれかに記載の界面活性剤組成物の製造方法。
【請求項１１】
請求項１〜８のいずれかに記載の界面活性剤組成物を用いる、陰イオン界面活性剤水溶液の増粘方法。
【発明の詳細な説明】
【技術分野】
【０００１】
本発明は、界面活性剤組成物、該界面活性剤組成物の製造方法、及び陰イオン界面活性剤水溶液の増粘方法に関する。
【背景技術】
【０００２】
従来、陰イオン界面活性剤水溶液を増粘させる方法としては、塩化ナトリウムや硫酸ナトリウムといった無機塩を添加し、ミセルの凝集により水溶液濃度を上昇させる方法（シックニング）がある。無機塩は、溶解性に優れることから広く汎用的に使用されている。しかし、添加量に対しての増粘効果が低く、所望の粘度まで調整する際に多量の無機塩を添加しなければならない。
例えば、特許文献１には、下記一般式（１）及び下記一般式（２）で表される化合物を混合して得られる界面活性剤組成物が記載されている。
Ｒ１Ｏ−（ＥＯ）ｍＳＯ３Ｍ      （１）
Ｒ２Ｏ−（ＡＯ）ｎＳＯ３Ｍ      （２）
（式中、Ｒ１とＲ２は同一又は異なっていてもよい炭素数８〜２４のアルキル基を示し、ＥＯはエチレンオキシ基、ＡＯは炭素数３又は４のアルキレンオキシ基であり、０＜ｍ≦３、０＜ｎ≦３である。Ｍは陽イオンである。）
【０００３】
特許文献２には、（Ａ）水溶性セルロース増粘剤約０．１〜１．５％、（Ｂ）エチレングリコール、プロピレングリコール、ポリオキシエチレングリコール、ポリオキシプロピレングリコール等、及びそれらの混合物からなる溶媒約０．５〜２０％、（Ｃ）合成界面活性剤約１０〜５０％、（Ｄ）電解質約０．００１〜１．０％、（Ｅ）水約５０〜８０％を含有する、洗浄剤組成物が記載されている。
【先行技術文献】
【特許文献】
【０００４】
【特許文献１】特開２００９−１２０６６４号公報
【特許文献２】特開昭６１−８１４９６号公報
【発明の概要】
【発明が解決しようとする課題】
【０００５】
しかしながら、特許文献１及び２に記載の界面活性剤組成物等では、増粘のために多量の塩や界面活性剤が必要である。
本発明は、界面活性剤が低濃度であっても、高い粘度を有しつつ、作業性に優れる界面活性剤組成物を提供することに関する。
【課題を解決するための手段】
【０００６】
本発明者は、特定量の（Ａ）成分：炭素数２以上３以下のポリオール、（Ｂ）成分：アルキル基又はアルケニル基の炭素数が１２以上２４以下のポリオキシアルキレンアルキルエーテル硫酸エステル、ポリオキシアルキレンアルケニルエーテル硫酸エステル又はこれらの塩、（Ｃ）成分：アルキル基又はアルケニル基の炭素数が１２以上２４以下のアルキル硫酸エステル、アルケニル硫酸エステル又はこれらの塩、及び（Ｄ）成分：水を含有する界面活性剤組成物により、上記課題を解決し得ることを見出した。
すなわち、本発明は下記［１］〜［３］を提供する。
［１］  （Ａ）成分：炭素数２以上３以下のポリオール、（Ｂ）成分：下記式（Ｉ）で表される、ポリオキシアルキレンアルキルエーテル硫酸エステル、ポリオキシアルキレンアルケニルエーテル硫酸エステル又はこれらの塩、（Ｃ）成分：下記式（ＩＩ）で表されるアルキル硫酸エステル、アルケニル硫酸エステル又はこれらの塩、及び、（Ｄ）成分：水を含有し、（Ａ）成分の含有量が２５質量％以上９８質量％以下であり、（Ｂ）成分及び（Ｃ）成分の合計含有量が硫酸エステル換算量で０．０５質量％以上１０質量％以下である、界面活性剤組成物。
【０００７】
【化１】
0006657541.tif 000002
（式中、Ｒ１は、炭素数１２以上２４以下のアルキル基又はアルケニル基を示し、Ｒ２はエチレン基又はプロピレン基を示し、ｍはＲ２Ｏの付加モル数を示し、１以上１５以下の整数である。Ｍ１は、水素原子又は陽イオンを示す。）
【０００８】
【化２】
0006657541.tif 000003
（式中、Ｒ３は、炭素数１２以上２４以下のアルキル基又はアルケニル基を示し、Ｍ２は、水素原子又は陽イオンを示す。）
【０００９】
［２］  （Ａ）成分、（Ｂ）成分、（Ｃ）成分、及び（Ｄ）成分を配合する、［１］に記載の界面活性剤組成物の製造方法。
［３］  ［１］に記載の界面活性剤組成物を用いる、陰イオン界面活性剤水溶液の増粘方法。
【発明の効果】
【００１０】
本発明によれば、従来のポリオキシアルキレンアルキルエーテル硫酸エステル、ポリオキシアルキレンアルケニルエーテル硫酸エステル又はこれらの塩を含む界面活性剤組成物よりも界面活性剤濃度が低濃度であっても、高い粘度を有しつつ、作業性に優れた界面活性剤組成物を提供することができる。
【発明を実施するための形態】
【００１１】
［界面活性剤組成物］
本発明の界面活性剤組成物は、
（Ａ）成分：炭素数２以上３以下のポリオール、
（Ｂ）成分：下記式（Ｉ）で表される、ポリオキシアルキレンアルキルエーテル硫酸エステル、ポリオキシアルキレンアルケニルエーテル硫酸エステル又はこれらの塩（以下、ポリオキシアルキレンアルキルエーテル硫酸エステル塩等ともいう。）、
【００１２】
【化３】
0006657541.tif 000004
（式中、Ｒ１は、炭素数１２以上２４以下のアルキル基又はアルケニル基を示し、Ｒ２はエチレン基又はプロピレン基を示し、ｍはＲ２Ｏの付加モル数を示し、１以上１５以下の整数である。Ｍ１は、水素原子又は陽イオンを示す。）
【００１３】
（Ｃ）成分：下記式（ＩＩ）で表されるアルキル硫酸エステル、アルケニル硫酸エステル又はこれらの塩、及び
【００１４】
【化４】
0006657541.tif 000005
（式中、Ｒ３は、炭素数１２以上２４以下のアルキル基又はアルケニル基を示し、Ｍ２は、水素原子又は陽イオンを示す。）
【００１５】
（Ｄ）成分：水
を含有し、
（Ａ）成分の含有量が２５質量％以上９８質量％以下であり、
（Ｂ）成分及び（Ｃ）成分の合計含有量が硫酸エステル換算量で０．０５質量％以上１０質量％以下である。
本発明の界面活性剤組成物によれば、従来のポリオキシアルキレンアルキルエーテル硫酸エステル塩等を含む界面活性剤組成物よりも界面活性剤濃度が低濃度であっても、高い粘度を有しつつ、作業性に優れる。その理由は定かではないが、以下のように考えられる。
（Ａ）成分の含有量、（Ｂ）成分及び（Ｃ）成分の合計含有量を特定の範囲に調整することにより、（Ａ）成分乃至（Ｄ）成分からなる構造体を形成し、該構造体間での相互作用により、増粘効果が発現するためと考えられる。
以下、各成分について詳細に記載する。
【００１６】
＜（Ａ）成分＞
本発明の界面活性剤組成物は、（Ａ）成分：炭素数２以上３以下のポリオールを含有する。炭素数２以上３以下のポリオールとしては、エチレングリコール、１，２−プロパンジオール、１，３−プロパンジオール等のジオール；グリセリン等のトリオールが挙げられる。
炭素数２以上３以下のポリオールは、粘度を向上させる観点から、好ましくはエチレングリコール、１，２−プロパンジオール、及びグリセリンから選ばれる１種以上、より好ましくはエチレングリコール及び１，２−プロパンジオールから選ばれる１種以上、更に好ましくはエチレングリコールである。また、これらのポリオールは、単独で又は２種以上を混合して用いることができる。
【００１７】
＜（Ｂ）成分＞
本発明の界面活性剤組成物は、（Ｂ）成分：下記式（Ｉ）で表されるポリオキシアルキレンアルキルエーテル硫酸エステル、ポリオキシアルキレンアルケニルエーテル硫酸エステル又はこれらの塩を含有する。
なお、（Ｂ）成分は、式（Ｉ）で表される、ポリオキシアルキレンアルキルエーテル硫酸エステル、ポリオキシアルキレンアルキルエーテル硫酸エステル塩、ポリオキシアルキレンアルケニルエーテル硫酸エステル、及びポリオキシアルキレンアルケニルエーテル硫酸エステル塩のいずれか１種を含有していればよく、２種以上を含有していてもよい。
【００１８】
【化５】
0006657541.tif 000006
（式中、Ｒ１は、炭素数１２以上２４以下のアルキル基又はアルケニル基を示し、Ｒ２はエチレン基又はプロピレン基を示し、ｍはＲ２Ｏの付加モル数を示し、１以上１５以下の整数である。Ｍ１は、水素原子又は陽イオンを示す。）
【００１９】
Ｒ１は、炭素数１２以上２４以下のアルキル基又はアルケニル基であり、好ましくは直鎖若しくは分岐鎖のアルキル基又はアルケニル基、より好ましくは直鎖若しくは分岐鎖のアルキル基、更に好ましくは直鎖のアルキル基である。
アルキル基又はアルケニル基であるＲ１の炭素数は、増粘させる観点から、１２以上、好ましくは１８以上であり、増粘させる観点及び作業性の観点から、より好ましくは２０以上、更に好ましくは２２以上であり、そして、入手性の観点から、２４以下、好ましくは２２以下であり、これらの観点から、２２がより好ましい。
Ｒ１で示される炭素数１２以上２４以下のアルキル基又はアルケニル基としては、具体的には、ラウリル基、ミリスチル基、パルミチル基、マルガリル基、イソステアリル基、２−ヘプチルウンデシル基、ステアリル基、アラキジル基、ベヘニル基、リグノセリル基等のアルキル基；オレイル基等のアルケニル基が挙げられる。
【００２０】
Ｒ２は、エチレン基又はプロピレン基を示し、界面活性剤としての機能の観点から、エチレン基であることが好ましい。
【００２１】
オキシアルキレン基（Ｒ２Ｏ）の付加モル数であるｍは、粘度を向上させる観点から、１以上、好ましくは２以上、より好ましくは３以上であり、そして、同様の観点から、１５以下、好ましくは８以下、より好ましくは７以下、更に好ましくは６以下、より更に好ましくは５以下、より更に好ましくは４以下である。すなわち、ｍは１以上１５以下であり、好ましくは１以上８以下、より好ましくは１以上７以下、更に好ましくは１以上５以下、より更に好ましくは２以上５以下、より更に好ましくは２以上４以下である。
なお、ポリオキシアルキレンアルキルエーテル硫酸エステル塩等は、ｍに分布を有する場合があり、（Ｂ）成分として、オキシアルキレン基の付加モル数の異なる、複数の化合物を含有する場合があるが、ｍが０である化合物は、（Ｂ）成分に該当するものではなく、（Ｃ）成分に該当する。
オキシアルキレン基の平均付加モル数は、保存安定性の観点から、好ましくは２以上、より好ましくは３以上である。また、同様の観点から、好ましくは１２以下、より好ましくは１０以下、更に好ましくは８以下、より更に好ましくは６以下である。
【００２２】
前記式（Ｉ）中、Ｍ１が水素原子である場合、式（Ｉ）で表される化合物は、ポリオキシアルキレンアルキルエーテル硫酸エステル又はポリオキシアルキレンアルケニルエーテル硫酸エステルとなる。
一方、前記式（Ｉ）中、Ｍ１が陽イオンである場合、式（Ｉ）で表される化合物は、ポリオキシアルキレンアルキルエーテル硫酸エステル塩又はポリオキシアルキレンアルケニルエーテル硫酸エステル塩となる。なお、Ｍ１が陽イオン（Ｍ＋）の時、式（Ｉ）で表される化合物は、厳密には以下の式（Ｉ’）ように表される。
【００２３】
【化６】
0006657541.tif 000007
（式（Ｉ’）中、Ｒ１、Ｒ２、ｍは、式（Ｉ）中のＲ１、Ｒ２、ｍと同義であり、好ましい範囲も同様である。Ｍ＋は陽イオンを表す。）
【００２４】
前記式（Ｉ）中のＭ１で表される陽イオン（式（Ｉ’）中のＭ＋）としては、アルカリ金属イオン、アルカリ土類金属イオン、アンモニウムイオン、及びトリエタノールアンモニウムイオン等のアルカノールアンモニウムイオン等が挙げられる。アルカリ金属としては、リチウム、ナトリウム、カリウム等が挙げられ、また、アルカリ土類金属としてはカルシウム等が挙げられる。前記式（Ｉ）中のＭ１は、好ましくはアルカノールアンモニウムイオン又はアルカリ金属イオンであり、より好ましくはアルカリ金属イオンであり、更に好ましくはナトリウムイオン及びカリウムイオンから選ばれる１種以上であり、より更に好ましくはナトリウムイオンである。
なお、Ｍ１が二価以上の陽イオンの場合には、−ＳＯ３−のアニオンと対イオンとなるように存在すればよく、例えば、二価の陽イオンであれば、−ＳＯ３−の量に対して、１／２量が存在すればよい。
Ｍ１は、陽イオンであることが好ましい。
【００２５】
＜（Ｃ）成分＞
本発明の界面活性剤組成物は、（Ｃ）成分：下記式（ＩＩ）で表されるアルキル硫酸エステル、アルケニル硫酸エステル又はこれらの塩を含有する。
なお、（Ｃ）成分は、式（ＩＩ）で表される、アルキル硫酸エステル、アルキル硫酸エステル塩、アルケニル硫酸エステル、及びアルケニル硫酸エステル塩のいずれか１種を含有していればよく、２種以上を含有していてもよい。
【００２６】
【化７】
0006657541.tif 000008
（式中、Ｒ３は、炭素数１２以上２４以下のアルキル基又はアルケニル基を示し、Ｍ２は、水素原子又は陽イオンを示す。）
【００２７】
Ｒ３は、炭素数１２以上２４以下のアルキル基又はアルケニル基であり、好ましくは直鎖若しくは分岐鎖のアルキル基又はアルケニル基、より好ましくは直鎖若しくは分岐鎖のアルキル基、更に好ましくは直鎖のアルキル基である。
アルキル基又はアルケニル基であるＲ３の炭素数は、増粘させる観点から、１２以上、好ましくは１８以上であり、増粘させる観点及び作業性の観点からは、より好ましくは２０以上、更に好ましくは２２以上であり、そして、入手性の観点から、２４以下、好ましくは２２以下であり、これらの観点から、２２がより好ましい。
Ｒ３で示される炭素数１２以上２４以下のアルキル基又はアルケニル基としては、具体的には、ラウリル基、ミリスチル基、パルミチル基、マルガリル基、イソステアリル基、２−ヘプチルウンデシル基、ステアリル基、アラキジル基、ベヘニル基、リグノセリル基等のアルキル基；オレイル基等のアルケニル基が挙げられる。
【００２８】
前記式（ＩＩ）中、Ｍ２が水素原子である場合、式（ＩＩ）で表される化合物は、アルキル硫酸エステル又はアルケニル硫酸エステルとなる。
一方、前記式（ＩＩ）中、Ｍ２が陽イオンの時、式（ＩＩ）で表される化合物は、アルキル硫酸エステル塩又はアルケニル硫酸エステル塩となる。なお、Ｍ２が陽イオン（Ｍ＋）の時、式（ＩＩ）で表される化合物は、厳密には以下の式（ＩＩ’）ように表される。
【００２９】
【化８】
0006657541.tif 000009
（式（ＩＩ’）中、Ｒ３は、式（ＩＩ）中のＲ３と同義であり、好ましい範囲も同様である。Ｍ＋は陽イオンを表す。）
【００３０】
前記式（ＩＩ）中のＭ２で表される陽イオン（式（ＩＩ’）中のＭ＋）としては、アルカリ金属イオン、アルカリ土類金属イオン、アンモニウムイオン、及びトリエタノールアンモニウムイオン等のアルカノールアンモニウムイオン等が挙げられる。アルカリ金属としては、リチウム、ナトリウム、カリウム等が挙げられ、また、アルカリ土類金属としてはカルシウム等が挙げられる。前記式（ＩＩ）中のＭ２は、好ましくはアルカノールアンモニウムイオン、アルカリ金属イオンであり、より好ましくはアルカリ金属イオンであり、更に好ましくはナトリウムイオン及びカリウムイオンから選ばれる１種以上であり、より更に好ましくはナトリウムイオンである。
なお、Ｍ２が二価以上の陽イオンの場合には、−ＳＯ３−のアニオンと対イオンとなるように存在すればよく、例えば、二価の陽イオンであれば、−ＳＯ３−の量に対して、１／２量が存在すればよい。
Ｍ２は、陽イオンであることが好ましい。
【００３１】
＜（Ｄ）成分＞
本発明の界面活性剤組成物は、（Ｄ）成分：水を含有する。水としては特に限定されるものではないが、イオン交換水、逆浸透膜濾過水（ＲＯ水）、蒸留水、純水、超純水等が使用され得る。入手が容易であり長期保管時並びに使用時における硬度成分の析出抑制の観点から、イオン交換水が好ましい。
【００３２】
＜（Ｅ）成分＞
本発明の界面活性剤組成物は、（Ｅ）成分：前記（Ｂ）成分及び（Ｃ）成分以外のアルカリ金属塩及びアルカリ金属水酸物から選ばれる１種以上を含有することが好ましい。「前記（Ｂ）成分及び（Ｃ）成分以外のアルカリ金属塩」とは、アルカリ金属塩のうち、（Ｂ）成分又は（Ｃ）成分に該当するものは除くという意味である。
なお、（Ｅ）成分は、予め、（Ｂ）成分及び／又は（Ｃ）成分と混合して用いてもよく、その場合、上記式（Ｉ）で表されるポリオキシアルキレンアルキルエーテル硫酸エステル又はポリオキシアルキレンアルケニルエーテル硫酸エステル及び／又は上記式（ＩＩ）で表されるアルキル硫酸エステル又はアルケニル硫酸エステルに、アルカリ金属水酸化物を、中和当量を超えて過剰量添加した態様で用いてもよい。
【００３３】
アルカリ金属塩及びアルカリ金属水酸物に含まれるアルカリ金属は、粘度を向上させる観点から、好ましくはリチウム、ナトリウム、及びカリウムから選ばれる１種以上であり、より好ましくはナトリウム及びカリウムから選ばれる１種以上であり、更に好ましくはカリウムである。
アルカリ金属水酸化物としては、水酸化ナトリウム、水酸化カリウム等の水酸化物が挙げられ、粘度を向上させる観点から、好ましくは水酸化ナトリウム及び水酸化カリウムから選ばれる１種以上であり、より好ましくは水酸化カリウムである。また、これらのアルカリ金属水酸化物は、単独で又は２種以上を混合して用いることができる。
アルカリ金属塩は、無機酸塩及び前記（Ｂ）成分及び（Ｃ）成分以外の有機酸塩から選ばれる１種以上である。無機酸塩としては、硝酸ナトリウム、硝酸カリウム等の硝酸塩；硫酸ナトリウム、硫酸カリウム等の硫酸塩；塩化ナトリウム、塩化カリウム等のハロゲン化塩が挙げられる。前記（Ｂ）成分及び（Ｃ）成分以外の有機酸塩としては、酢酸ナトリウム、酢酸カリウム、プロピオン酸ナトリウム、プロピオン酸カリウム等の脂肪族カルボン酸塩、コハク酸二ナトリウム、コハク酸二カリウム、アジピン酸二ナトリウム、アジピン酸二カリウム等の脂肪族ジカルボン酸塩；クエン酸ナトリウム、クエン酸カリウム等のクエン酸塩、リンゴ酸二ナトリウム、リンゴ酸二カリウム等のリンゴ酸塩等が挙げられる。
これらの中でも、（Ｅ）成分は、好ましくはアルカリ金属水酸化物であり、より好ましくは水酸化カリウム及び水酸化ナトリウムから選ばれる１種以上であり、更に好ましくは水酸化カリウムである。
これらのアルカリ金属水酸化物及びアルカリ金属塩は、単独で又は２種以上を混合して用いることができる。
【００３４】
［界面活性剤組成物の製造方法］
本発明の界面活性剤組成物は、（Ａ）成分、（Ｂ）成分、（Ｃ）成分、及び（Ｄ）成分を配合して得られる。必要に応じて（Ｅ）成分等の他の成分を配合してもよい。各成分を配合する順序は特に制限されない。全ての成分を配合した後、好ましくは６０℃以上、より好ましくは８０℃以上、そして、好ましくは１００℃以下に、加熱し、必要に応じ撹拌し、溶解させた後、室温（２０℃）まで、冷却することが好ましい。
【００３５】
［各成分の配合量］
本発明の界面活性剤組成物における各成分の配合量は、以下の通りである。
（Ａ）成分の配合量は、界面活性剤組成物の総量１００質量％に対して、粘度を向上させる観点から、好ましくは２５質量％以上、より好ましくは３０質量％以上、更に好ましくは４０質量％以上、より更に好ましくは４５質量％以上であり、そして、コストを低減する観点及びより少ない（Ａ）成分で増粘させる観点から、好ましくは９８質量％以下、より好ましくは９０質量％以下、更に好ましくは８０質量％以下、より更に好ましくは７０質量％以下、より更に好ましくは６０質量％以下、より更に好ましくは５５質量％以下である。
【００３６】
（Ｂ）成分及び（Ｃ）成分の合計配合量は、界面活性剤組成物の総量１００質量％に対して、界面活性剤としての機能を発揮し、更に、粘度を向上させる観点から、硫酸エステル換算量で、好ましくは０．０５質量％以上、より好ましくは０．１質量％以上、更に好ましくは０．２質量％以上、より更に好ましくは０．３質量％以上であり、そして、コストを低減する観点及びより少ない界面活性剤で粘度を向上させる観点から、硫酸エステル換算量で、好ましくは１０質量％以下、より好ましくは５質量％以下、更に好ましくは３質量％以下、より更に好ましくは１質量％以下、より更に好ましくは０．７質量％以下、より更に好ましくは０．５質量％以下、より更に好ましくは０．４質量％以下である。
なお、硫酸エステル換算量とは、前記式（Ｉ）で表されるポリオキシアルキレンアルキルエーテル硫酸エステル又はポリオキシアルキレンアルケニルエーテル硫酸エステル（Ｍ１が水素原子）及び前記式（ＩＩ）で表されるアルキル硫酸エステル又はアルケニル硫酸エステル（Ｍ２が水素原子）での換算量である。また、（Ｂ）成分並びに（Ｃ）成分が混合物である場合には、該混合物の各成分の総和としての量である。以下における「硫酸エステル換算量」も同義である。なお、硫酸エステル換算量は、実施例に記載の方法により算出する。
【００３７】
（Ｄ）成分の配合量は、界面活性剤組成物の総量１００質量％に対して、（Ａ）成分の量を減少させ、コストを低減する観点から、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上、より更に好ましくは４５質量％以上であり、そして、粘度を向上させる観点から、好ましくは７２質量％以下、より好ましくは７０質量％以下、更に好ましくは６０質量％以下、より更に好ましくは５５質量％以下である。
【００３８】
（Ｅ）成分の配合量は、界面活性剤組成物の総量１００質量％に対して、粘度を向上させる観点から、好ましくは０．０７質量％以上、より好ましくは０．１５質量％以上、更に好ましくは０．２質量％以上、より更に好ましくは０．４質量％、より更に好ましくは０．７質量％以上、より更に好ましくは０．９質量％以上、より更に好ましくは１．２質量％以上であり、そして、同様の観点から、好ましくは３．５質量％以下、より好ましくは２．５質量％以下、更に好ましくは２質量％以下、より更に好ましくは１．８質量％以下である。
【００３９】
［界面活性剤組成物の含有量］
本発明の界面活性剤組成物における各成分の含有量は、以下の通りである。
本発明の界面活性剤組成物における（Ａ）成分の含有量は、粘度を向上させる観点から、２５質量％以上、好ましくは３０質量％以上、より好ましくは４０質量％以上、更に好ましくは４５質量％以上であり、そして、コストを低減する観点及びより少ない（Ａ）成分で増粘させる観点から、９８質量％以下、好ましくは９０質量％以下、より好ましくは８０質量％以下、更に好ましくは７０質量％以下、より更に好ましくは６０質量％以下、より更に好ましくは５５質量％以下である。
【００４０】
本発明の界面活性剤組成物における（Ｂ）成分及び（Ｃ）成分の合計含有量は、界面活性剤としての機能を発揮し、更に、粘度を向上させる観点から、硫酸エステル換算量で、０．０５質量％以上、好ましくは０．１質量％以上、より好ましくは０．２質量％以上、更に好ましくは０．３質量％以上であり、そして、コストを低減する観点及び適正な粘度を保ち作業性を向上させる観点から、硫酸エステル換算量で、１０質量％以下、好ましくは５質量％以下、より好ましくは３質量％以下、更に好ましくは１質量％以下、より更に好ましくは０．７質量％以下、より更に好ましくは０．５質量％以下、より更に好ましくは０．４質量％以下である。
【００４１】
本発明の界面活性剤組成物における（Ｄ）成分の含有量は、（Ａ）成分の量を減少させ、コストを低減する観点から、好ましくは２質量％以上、より好ましくは５質量％以上、更に好ましくは１０質量％以上、より更に好ましくは１５質量％以上、より更に好ましくは２０質量％以上、より更に好ましくは３０質量％以上、より更に好ましくは４０質量％以上、より更に好ましくは４５質量％以上であり、そして、粘度を向上させる観点から、好ましくは７２質量％以下、より好ましくは７０質量％以下、更に好ましくは６０質量％以下、より更に好ましくは５５質量％以下である。
【００４２】
本発明の界面活性剤組成物における（Ｅ）成分の含有量は、粘度を向上させる観点から、好ましくは０．０７質量％以上、より好ましくは０．１５質量％以上、更に好ましくは０．２質量％以上、より更に好ましくは０．４質量％以上、より更に好ましくは０．７質量％以上、より更に好ましくは０．９質量％以上、より更に好ましくは１．２質量％以上であり、そして、同様の観点から、好ましくは３．５質量％以下、より好ましくは２．５質量％以下、更に好ましくは２質量％以下、より更に好ましくは１．８質量％以下である。
【００４３】
本発明の界面活性剤組成物における（Ｂ）成分及び（Ｃ）成分の合計質量に対する（Ａ）成分の質量比〔（Ａ）／（（Ｂ）＋（Ｃ））〕は、粘度を向上させる観点から、好ましくは１，９００以下、より好ましくは１，５００以下、更に好ましくは１，０００以下、より更に好ましくは８００以下、より更に好ましくは５００以下、より更に好ましくは３００以下、より更に好ましくは２５０以下、より更に好ましくは２００以下、より更に好ましくは１５０以下であり、そして、より少ない界面活性剤で増粘させる観点から、好ましくは２．５以上、より好ましくは５以上、更に好ましくは１０以上、より更に好ましくは２０以上、より更に好ましくは６０以上、より更に好ましくは１００以上である。なお、（Ｂ）成分及び（Ｃ）成分の質量は、硫酸エステル換算量である。
【００４４】
本発明の界面活性剤組成物における（Ｂ）成分に対する（Ｃ）成分の質量比〔（Ｃ）／（Ｂ）〕は、より少ない界面活性剤で増粘させる観点から、好ましくは５０以下、より好ましくは２５以下、更に好ましくは５以下、より更に好ましくは２．５以下、より更に好ましくは１以下、より更に好ましくは０．５以下、より更に好ましくは０．２以下であり、そして、粘度を向上させる観点から、好ましくは０．０１以上、より好ましくは０．０２以上、更に好ましくは０．０３以上、より更に好ましくは０．０５以上、より更に好ましくは０．１以上である。
【００４５】
本発明の界面活性剤組成物における（Ｄ）成分に対する（Ａ）成分の質量比〔（Ａ）／（Ｄ）〕は、より少ない界面活性剤で増粘させる観点及びより少ない（Ａ）成分で増粘させる観点から、好ましくは４５以下、より好ましくは３０以下、更に好ましくは２０以下、より更に好ましくは１０以下、より更に好ましくは５以下、より更に好ましくは４以下、より更に好ましくは３以下、より更に好ましくは２以下、より更に好ましくは１．５以下でありであり、そして、粘度を向上させる観点から、好ましくは０．３以上、より好ましくは０．５以上、更に好ましくは０．７以上である。
【００４６】
本発明の界面活性剤組成物における（Ａ）成分及び（Ｄ）成分の合計含有量は、他の成分を配合して粘度を向上させる観点から、好ましくは９９．６質量％以下、より好ましくは９９．０質量％以下、更に好ましくは９８．５質量％以下、より更に好ましくは９８．３質量％以下であり、そして、より少ない界面活性剤で増粘させる観点から、好ましくは８５．０質量％以上、より好ましくは８８．０質量％以上、更に好ましくは９０．０質量％以上、より更に好ましくは９３．０質量％以上、より更に好ましくは９５．０質量％以上、より更に好ましくは９７．０質量％以上、より更に好ましくは９７．５質量％以上である。
【００４７】
［界面活性剤組成物の物性］
本発明の界面活性剤組成物の物性は以下のとおりである。
本発明の界面活性剤組成物は、保存容器からの取り出し作業性の観点から、２５℃における粘度が、好ましくは３．９ｍＰａ・ｓ以上、より好ましくは６ｍＰａ・ｓ以上、更に好ましくは１０ｍＰａ・ｓ以上、より更に好ましくは１５ｍＰａ・ｓ以上であり、そして、好ましくは３００ｍＰａ・ｓ以下、より好ましくは２００ｍＰａ・ｓ以下、更に好ましくは１００ｍＰａ・ｓ以下、より更に好ましくは５０ｍＰａ・ｓ以下である。上記粘度は、実施例に記載の方法で測定される値である。
本発明の界面活性剤組成物の２０℃におけるｐＨは、安定性の観点から、好ましくは６以上、より好ましくは７以上であり、そして、好ましくは１２以下、より好ましくは１１以下である。
【００４８】
このようにして得られた本発明の界面活性剤組成物は、更に、他の成分、例えば、薬剤、粉体、防腐剤等を配合することもでき、例えば、化粧料、洗浄剤、塗料、インク、潤滑剤、接着剤、農業用配合物、石油掘削用流体等に好適に用いることができる。
【００４９】
［増粘方法］
本発明の界面活性剤組成物は、これを使用することにより、種々の陰イオン界面活性剤水溶液の粘度を向上させることができる。上述の界面活性剤組成物に種々の成分を配合することにより、例えば、化粧料、洗浄剤、塗料、インク、潤滑剤、接着剤、農業用配合物、石油掘削用流体等の各種の陰イオン界面活性剤水溶液に対して、増粘効果を発揮する。
【実施例】
【００５０】
各実施例及び比較例で調製した界面活性剤組成物を、以下の方法に従って評価した。
なお、以下の実施例及び比較例において、特記しない限り「％」は「質量％」を意味する。
【００５１】
［粘度］
各実施例及び比較例で調製した界面活性剤組成物を用いて、測定温度に設定した恒温槽で１時間静置させた後に、アントンパール社製レオメーター（ＭＣＲ−３０２形）、アタッチメント（ＣＰ５０−１）を用いて、回転速度１００／ｓで測定（測定時間５秒、２５℃）した。
【００５２】
〔ポリオキシアルキレンアルキルエーテル硫酸エステル塩の製造〕
合成例１
１−ドコサノール（東京化成工業株式会社製、別名：ベヘニルアルコール）のエトキシレート（エチレンオキシド平均付加モル数４．０）を２５０℃、１３３．３Ｐａ（１Ｔｏｒｒ）で減圧蒸留して未反応アルコールを除去し、反応温度１１０℃でスルファミン酸（スルファミン酸／エトキシレートのモル比：１．１０）で硫酸化反応を行った。
得られたポリオキシエチレンベヘニルエーテル硫酸化物２５６ｇを４８％水酸化ナトリウム水溶液で中和後、窒素流入下８０℃で加熱し、脱アンモニアを行い、水でポリオキシエチレンベヘニルエーテル硫酸ナトリウム塩濃度が１３質量％になるように調整し、ポリオキシエチレンベヘニルエーテル硫酸ナトリウム塩（Ｃ２２Ｈ４５Ｏ−（ＣＨ２ＣＨ２Ｏ）ｍ−ＳＯ３Ｎａ）を合成した。
【００５３】
＜エチレンオキシド付加モル数の測定方法＞
合成例１の中間体である１−ドコサノールのエトキシレートの未反応アルコール除去物を用いて、クロマトグラフィーにより下記条件で測定し、得られたクロマトグラムのピークの面積比から、上記で得られたポリオキシエチレンベヘニルエーテル硫酸ナトリウム塩のエチレンオキシド付加モル数（式（１）のｍ）の分布を測定した。結果を表１に示す。
（測定条件）
測定機器：Ａｇｉｌｅｎｔ  ６８９０Ｎ（ガスクロマトグラフ、アジレント・テクノロジー株式会社製）
カラム：ＤＢ−１ｈｔ（アジレント・テクノロジー株式会社製）
（長さ３０ｍ、内径０．２５ｍｍ、膜厚０．１０μｍ）
キャリヤーガス：Ｈｅ（コンスタントフローモード）
スプリット比：５０：１
検出器：ＦＩＤ
注入口温度：３３０℃
検出器温度：３３０℃
測定温度条件：１００℃→１０℃／ｍｉｎで昇温→３８０℃で２７分保持
検出感度：取り込み速度、２０Ｈｚ
最小ピーク幅、０．０１ｍｉｎ
注入量：１μｌ（スプリット法）
各成分の定量方法（質量％）：全ピークの面積の合計を１００として、各成分に対応するピークの面積比を用いて算出する。
【００５４】
【表１】
0006657541.tif 000010
【００５５】
合成例２
〔アルキル硫酸エステル塩の製造〕
１−ドコサノール（東京化成工業株式会社製、別名：べヘニルアルコール）を、反応温度１１０℃でスルファミン酸（スルファミン酸／１−ドコサノールのモル比：１．１０）で硫酸化反応を行った。
得られたベヘニル硫酸化物２５６ｇを４８％水酸化ナトリウム水溶液で中和後、窒素流入下８０℃で加熱し、脱アンモニアを行い、水でベヘニル硫酸ナトリウム塩濃度が１３質量％になるように調整し、ベヘニル硫酸ナトリウム塩を合成した。
【００５６】
［実施例１〜１１及び比較例１〜４］
表２に示す成分及び配合量で、各成分をサンプル瓶に入れ９０℃で１時間静置し完全に溶解させた。その後室温（２０℃）まで冷却し界面活性剤組成物を調製した。得られた界面活性剤組成物の粘度の評価を上記方法により行った。結果を表２に示す。
なお、表中の各成分の詳細は下記の通りである。また、表中の配合量は有効分換算した値である。表中の「−」の記載は、当該成分を含有しないことを意味する。
【００５７】
〔（Ａ）成分〕
・エチレングリコール：和光純薬工業株式会社製、和光  一級  純度＞９９．０％
〔（Ｂ）成分〕
・上記合成例１のポリオキシエチレンベヘニルエーテル硫酸ナトリウム塩
〔（Ｃ）成分〕
・上記合成例２のベヘニル硫酸ナトリウム塩
〔（Ｄ）成分〕
・水：オルガノ株式会社製純水装置Ｇ−１０ＤＳＴＳＥＴで製造した１μＳ/ｃｍ以下の純水
〔（Ｅ）成分〕
・ＫＯＨ：苛性カリ（株式会社大阪ソーダ製、４７％希釈品）
【００５８】
【表２】
0006657541.tif 000011
【００５９】
表２の（Ｂ）成分の含有量（硫酸エステル換算量）は、例えばテトラオキシエチレンベヘニルエーテル硫酸ナトリウム塩の含有量（硫酸エステル換算量）の場合、硫酸エステルの分子量が５８２．８、該ナトリウム塩の分子量が６０４．８であるので、含有量に〔質量比＝５８２．８／６０４．８〕を乗じて算出した。合成例１においては、各ｍについて同様にそれぞれ算出した値から、含有量（硫酸エステル換算量）を算出した。
表２から明らかなように、本発明の界面活性剤組成物は界面活性剤濃度が低濃度であっても、高い粘度を示すことが分かる。
【産業上の利用可能性】
【００６０】
本発明の界面活性剤組成物は、高い粘度を有し、かつ、外観及び保存安定性に優れている。本発明の界面活性剤組成物は、化粧料、洗浄剤、塗料、インク、潤滑剤、接着剤、農業用配合物、石油掘削用流体等に好適に使用される。